(57)【要約】【課題】通常の使用時には外光が入射しない位置に光センサが配置された遊技機において、光センサの誤検知を防止する。【解決手段】島設備に設置される外枠と、外枠に対して開放状態と閉鎖状態とに移動可能な枠部材と、発光素子と受光素子を有するとともに、枠部材が閉鎖状態となっている場合に外光から遮断され、構造体が開放状態となっている場合に外光が到達する光センサと、少なくとも光センサを覆うように設けられ、枠部材が開放状態となっている場合に外光の透過を制限する遮蔽部材とを設ける。【選択図】図６
2013005868.tif 000002
【特許請求の範囲】
【請求項１】
島設備に設置される外枠と、
前記外枠に対して開放状態と閉鎖状態とに移動可能な枠部材と、
発光素子と受光素子とを有し、前記島設備に設置されて前記枠部材が前記閉鎖状態となっている場合に外光から遮断される部位に配置された光センサと、
少なくとも前記光センサを覆うように設けられ、前記枠部材を前記開放状態とした場合にも、前記受光素子に外光が透過することを制限する遮蔽部材と、
を備えることを特徴とする遊技機。
【請求項２】
前記遮蔽部材が前記光センサを覆う位置にあるか否かを検知する遮蔽部材検知センサと、
前記光センサからのセンサ信号と、前記遮蔽部材検知センサからのセンサ信号とが入力する制御手段と、を備え、
前記制御手段は、前記遮蔽部材検知センサからのセンサ信号に基づいて前記遮蔽部材が前記光センサを覆う位置にないと判定した場合には、前記光センサからのセンサ信号を無効なものとすることを特徴とする請求項１に記載の遊技機。
【発明の詳細な説明】
【技術分野】
【０００１】
本発明は、遊技機に関し、特に、いわゆるセブン機、羽根物、権利物といったパチンコ遊技機や組合せ式遊技機（アレンジボール遊技機）や回胴式遊技機（スロットマシン）等の遊技機に関する。
【背景技術】
【０００２】
遊技機において、遊技球や遊技メダルの通過を検知するセンサや可動物の位置を検知するセンサ等として、発光素子と受光素子を備える光センサを用いることが知られている（特許文献１参照）。このような光センサは、遊技盤の裏面側のような遊技機の外部から遮蔽された部位に配置されており、通常の使用時、すなわち島設備等に設置された状態で、正常に遊技を行っている間は、受光素子に外光が到達し難い状態となっているため、外光によって、光センサが誤作動する可能性は低く、発光素子から照射される光を受光素子で正確に検知することができる。
【先行技術文献】
【特許文献】
【０００３】
【特許文献１】特開２００９−０８２５５５号公報
【発明の概要】
【発明が解決しようとする課題】
【０００４】
しかしながら、遊技中に球詰まり等の異常が発生し、遊技機の電源をONにした状態で遊技機のメンテナンス等のために枠部材を外枠に対して開放した場合に、遊技機の内部や裏面側に配置された光センサに外光が到達し、受光素子が外光を検知する可能性がある。このように、光センサの受光素子が外光を検知した場合には、光センサの誤検知が発生し、各種制御部は光センサの誤ったセンサ信号に基づいて各種制御を行う恐れがあるという問題がある。
【０００５】
そこで、本発明は上記点に鑑み、枠部材を開放した場合にも、光センサの誤検知を防止することを目的とする。
【課題を解決するための手段】
【０００６】
上記目的を達成するため、本発明の遊技機は、
島設備に設置される外枠と、
前記外枠に対して開放状態と閉鎖状態とに移動可能な枠部材と、
発光素子と受光素子とを有し、前記枠部材を前記閉鎖状態とした場合に、遊技機内部に囲まれて、又は遊技機と島設備とに囲まれて、外光から遮断される部位に配置された光センサと、
少なくとも前記光センサを覆うように設けられ、前記枠部材を前記開放状態とした場合にも、前記受光素子に外光が透過することを制限する遮蔽部材と、
を備えることを特徴としている。
【０００７】
このように、光センサを遮蔽部材で覆うことで、メンテナンス等で遊技機の電源をＯＮにしたまま、枠部材が外枠に対して開放された場合でも、遮蔽部材を介して光センサに到達する外光を制限し、光センサの受光素子が外光を検知してしまうことを防止できる。これにより、枠部材が外枠に対して開放された場合であっても、光センサが誤検知することを防止できる。
【０００８】
ここで、「枠部材を閉鎖状態とした場合に、遊技機内部に囲まれて、外光から遮断される部位」とは、例えば、所定の枠部材を閉じることで遊技機を構成する部材（例えば、下板部と閉鎖状態の上皿部等）によって遊技機内部に囲まれる部位をいう。また「枠部材を閉鎖状態とした場合に、遊技機と島設備とに囲まれて、外光から遮断される部位」とは、例えば、遊技機を構成する部材（例えば、裏機構盤や遊技盤等）と島設備（他の遊技機も含む）とよって囲まれる部位をいう。すなわち、枠部材を閉鎖状態として島設備に設置した状態において、遊技者から視認できない部位（位置）をいう。
【０００９】
また、枠部材は、外枠に対して開放状態又は閉鎖状態に移動可能であるところ、これは、枠部材が外枠に対して、直接設けられている（軸支されている）ことを意味しない。外枠に対して、他の枠部材を介して間接的に軸支されてもよい。詳しくは後述する。
【００１０】
また、「遮蔽部材」は、一部材で構成されても、複数の部材で構成されてもよい。
【００１１】
また「島設備」とは、詳しくは後述するが、遊技機を複数台設置可能な設備であって、遊技機を閉鎖状態で設置することで、遊技者が遊技機裏面側に接触できない状態とし、遊技機の裏面側及び内部は外光から遮断された状態となる。
【００１２】
また、本発明の遊技機は、
前記遮蔽部材が前記光センサを覆う位置にあるか否かを検知する遮蔽部材検知センサと、
前記光センサからのセンサ信号と、前記遮蔽部材検知センサからのセンサ信号とが入力する制御手段と、を備え、
前記制御手段は、前記遮蔽部材検知センサからのセンサ信号に基づいて前記遮蔽部材が前記光センサを覆う位置にないと判定した場合には、前記光センサからのセンサ信号を無効なものとすることを特徴としている。
【００１３】
枠部材を開放した状態で、異常（球詰り、コネクタ外れ等）を解消できる場合は遮蔽部材により語検知を防止できるが、枠部材を開放しただけでは、異常を解消できない場合には、当該遮蔽部材を取り外す必要がある。例えば、遮蔽部材を外さないと（位置を変えないと）、エラー解除できない様な異常（例えば、球詰りの位置、ケーブルの断線、部品の損傷等）が発生する場合もありうる。この様な場合にも、遮蔽部材が光センサを覆う所定の被覆位置にあるか否かを検知することで、所定の被覆位置にない場合には、外光が光センサに到達し、光センサが誤検知したとしても、制御手段が光センサのセンサ信号を無効化し、誤検知による遊技機の誤動作を防止することができる。
【発明の効果】
【００１４】
以上の本発明の構成によれば、通常の使用時には外光が入射しない位置に光センサが配置された遊技機において、枠部材の開放時にも光センサの誤検知を防止することができる。
【図面の簡単な説明】
【００１５】
【図１】本発明を適用した実施例に係る遊技機の正面図である。
【図２】上皿部を開放した状態を示す遊技機の正面図である。
【図３】遊技機が設置された島設備の斜視図である。
【図４】遊技機が設置された島設備の斜視図である。
【図５】裏機構盤の正面図である。
【図６】裏機構盤の斜視図である。
【図７】遊技球払出装置の内部構成を示す断面図である。
【図８】遊技盤の正面図である。
【図９】各種スイッチの配置を説明するための遊技盤の正面図である。
【図１０】電子制御装置の概略構成を示すブロック図である。
【図１１】第２実施例の電子制御装置の概略構成を示すブロック図である。
【発明を実施するための形態】
【００１６】
以下、本発明の実施例について図面を用いて説明する。なお、以下では、特別図柄の変動表示の終了に伴い大当り図柄が停止表示され、これを契機に大当り遊技が開始されるタイプ（いわゆるセブン機タイプ）のパチンコ遊技機（以下、単に遊技機という）に本発明を適用した実施例について説明する。
【００１７】
図１、図２は、本実施例の遊技機１の正面図である。図１、図２では遊技盤２０（図８参照）の詳細な図示を省略し、さらに図２では前面枠４の図示を省略している。また、図３、図４は、遊技機１が設置された島設備３００の斜視図であり、図４は一部の遊技機１の中枠３と前面枠４が開放した状態を示している。
【００１８】
図１に示すように、遊技機１の前面部は、外枠２、中枠３、前面枠４、上皿部５、下皿部６、施錠装置９、遊技盤２０等を備えている。また、中枠３は前面枠４等が前面側に配置されているため、図１においては明示されていない。
【００１９】
外枠２は木製の板状体を略長方形の枠状に組立てたものであり、図３、図４に示すように、遊技店の島設備３００に設置される。中枠３はプラスチック製で遊技機１の本体枠を構成するもので、外枠２の内側にはめ込まれて設置されており、外枠２に対して開閉可能に左端で軸支されている。なお、本実施例の中枠３、前面枠４、上皿部５、下皿部６、遊技盤２０、裏機構盤１０２（図５参照）等が本発明の「外枠に対して開放状態と閉鎖状態とに移動可能な枠部材」に相当し、本実施例では、中枠３に本発明の「遮蔽部材」が設けられている。
【００２０】
本実施例では、外枠２を木製としたが、プラスチック製、金属製、又は金属と木とを組み合わせたもの等でもよい。尚、図３、図４に示す通り、島設備３００には、横方向に複数の遊技機１を並べて設置可能である。また、図３、図４では図示していないが、背面を向い合せて縦方向にも複数の遊技機１が設置可能とされているため、島設備３００の反対側にも複数の遊技機１が設置可能とされている。従って、外枠２に対して枠部材を閉鎖状態とした遊技機１においては、遊技機裏面側及び遊技機内部は、外光から遮断（遮光）された状態となっている（図３）。そして、メンテナンスやエラー解除等のために枠部材を外枠２に対して解放状態とした遊技機１においては、その開放態様に応じて（いずれの枠部材を開放するか）、遊技機裏面側又は遊技機内部が外光にさらされる（外光が到達可能な）状態となる（図４）。
【００２１】
ここで、遊技機１を島設備３００に設置した状態で、枠部材を外枠２に対して閉鎖状態とした場合に、外光から遮断される部位であって、当該閉鎖状態から何れかの枠部材を外枠２に対して開放状態とした場合に、外光が到達しうる部位が、本発明の「枠部材を閉鎖状態とした場合に、遊技機内部に囲まれて、又は遊技機と島設備とに囲まれて、外光から遮断される部位」に相当する。また「外光から遮断される」状態とは、当然に、外光を完全に遮断した状態、及び少量の外光は入射するが、光センサが誤検知する程の量の外光が入射しない状態の両状態を含むものである。
【００２２】
この中枠３は、上側２／３程度を占める枠体部と下側１／３程度を占める下板部とから構成されている。枠体部の前面側には遊技盤２０と前面枠４とが重なるように設けられており、下板部の前面側には上皿部５と下皿部６が設けられている。遊技盤２０は本体枠（中枠３）に対して着脱自在に設けられている。また、図２に示すように、中枠３の下板部には、遊技球を遊技盤２０に発射する発射装置ユニット９が設けられている。発射装置ユニット９は、発射モータ（図示せず）と、発射モータによって作動する発射槌９ａと、発射槌９ａによって発射される遊技球を検知する発射球検知スイッチ９ｂを備えている。発射球検知スイッチ９ｂとしては、光センサを用いることができる。
【００２３】
前面枠４は、中枠３の前面側に配置され、中枠３の左端で中枠３に対して開閉可能に支持されている。前面枠４はプラスチック製であり、その奥側に配置される遊技盤２０の盤面を視認可能にするために、円形状の開口部４ａが形成されている。前面枠４の裏面には、開口部４ａに対応したガラス板等の透明板を備える略長方形状の透明板枠（図示略）が装着されている。前面枠４における遊技盤２０の周囲には、ＬＥＤ等のランプ類（図示略）が設けられている。これらのランプ類は、遊技効果を高めるために遊技の進行に応じて点灯・消灯あるいは点滅する。
【００２４】
上皿部５は、前面枠４の下側に設けられ、中枠３の左端に開閉可能に支持されている。上皿部５は、皿外縁部５ａと、遊技機１の内部から遊技球を排出するための排出口５ｂと、上皿部５の遊技球を下皿部６に排出する球抜きボタン５ｃとを備えている。皿外縁部５ａの上面には、演出ボタン５ｄや球貸ボタン５ｅ等が設けられている。
【００２５】
下皿部６は、上皿部５の下方に設けられ、中枠３の左端に中枠３に対して開閉可能に支持されている。下皿部６の略中央には、遊技機１の内部から下皿部６に遊技球を排出するための排出口６ａが設けられている。下皿部６の左端には灰皿７が設けられている。下皿部６の右端には、遊技者が発射装置ユニット９（図２参照）を操作するための発射ハンドル８が設けられている。発射ハンドル８には、遊技者が触れていることを検知する接触検知手段としてのタッチスイッチ８ａが設けられている。発射ハンドル８の左側面には、遊技者が操作して遊技球の発射を一時的に停止する発射停止スイッチ８ｂが配置されている。
【００２６】
上述のように、前面枠４、上皿部５、下皿部６は、中枠３に対して開閉可能となっているが、中枠３が外枠２に対して閉鎖している状態で前面枠４、上皿部５、下皿部６を中枠３に対して開閉する場合には、前面枠４、上皿部５、下皿部６は、外枠２に対しても開閉することとなる。
【００２７】
施錠装置９は、中枠３の右端中央に設けられており、前面枠４を閉じた場合にこれを施錠するためのものである。
【００２８】
また、遊技機１には、遊技状態に応じた効果音等を発生させるためのスピーカ１０ａ〜１０ｄが設けられている。スピーカ１０ａ〜１０ｄは、遊技機１の上部に設けられた上部スピーカ１０ａ、１０ｂと遊技機１の下部に設けられた下部スピーカ１０ｃ、１０ｄとからなる。さらに、遊技機１の左側には、プリペイドカードユニット１３（ＣＲユニット）が装着されている。
【００２９】
次に、本実施例の遊技機１の裏面構造について図５、図６に基づいて説明する。図５は遊技機１の裏機構盤１０２の正面図であり、図６は遊技機１の裏機構盤１０２の斜視図である。
【００３０】
裏機構盤１０２は中枠３における遊技盤２０の反対面（遊技機１の奥側）に設けられている。このため、中枠３が外枠２に対して開閉することで、遊技盤２０と裏機構盤１０２も中枠３に伴って外枠２に対して開閉することとなる。また、裏機構盤１０２は、一対のヒンジ１０３により中枠３に開閉可能に取り付けられている。
【００３１】
裏機構盤１０２の左上方部には、タンク球切れ検知スイッチ１０４を内側面に備えた賞球タンク１０５が設けられている。賞球タンク１０５には、外部の補給装置から供給される払出し用の遊技球が貯留されている。賞球タンク１０５の底面は、遊技機１の背面側からみて右下がりに構成されており、賞球タンク１０５の右側下方には、賞球タンク１０５と接続したタンクレール１０６が設けられている。タンクレール１０６は、賞球タンク１０５の右下角部から遊技球払出装置１０９の上方まで傾斜して形成されている。
【００３２】
タンクレール１０６の右側には、球抜きレバー１０７が設けられている。タンクレール１０６の下流側には、タンクレール１０６を流下してきた遊技球の進行方向を変えて下方に誘導するためのケースレール（遊技球誘導通路）１０８が設けられている。ケースレール１０８の下方には、遊技球を払い出すための遊技球払出装置１０９が設けられている。
【００３３】
図７は、遊技球払出装置１０９の内部構成を示す断面図である。図７に示すように、遊技球払出装置１０９には、遊技球を払い出すための払出モータ１０９ｍ（図１０参照）と、遊技球を送り出すカム１０９ａと、払出モータ１０９ｍにより払い出された遊技球を検知する払出センサ１０９ｓが設けられている。カム１０９ａの外周部には、略円弧状の凹部（球受け部）が３つ形成されており、カム１０９ａが反時計方向に回転することで、凹部に入り込んだ遊技球が遊技球流れ方向の下流側に送り出される。カム１０９ａは払出モータ１０９ｍにより回転駆動され、カム１０９ａの回転／停止により、遊技球払出しのオン／オフが行われる。なお、遊技球払出装置１０９で払い出される遊技球には、入賞に対して払い出す賞球と、遊技者に貸し出す貸球とが含まれている。
【００３４】
払出センサ１０９ｓは、遊技球の通過を検知するセンサであり、本実施例では光センサ（フォトセンサ）を用いている。
【００３５】
また、遊技球払出装置１０９には、図示は省略するが、払出モータ１０９ｍの回転に連動して回転する被検知片が設けられている。また回転する被検知片を検知するための回転検知センサが設けられており、回転する被検知片を検知することで、モータ（カム１０９ａ）の回転位置等を制御（把握）することができる。そして、回転検知センサの検知結果に基づく回転位置制御（払出モータの動作指令）と、払出センサ１０９ｓの検知結果に基づく払出遊技球制御（実際に払い出された遊技球数の確認）とで、遊技球の払出個数をより正確に管理することができる。
【００３６】
尚、回転検知センサは、被検知片が検知領域を通過するのを検知するセンサであり、本実施例では光センサ（フォトセンサ）を用いている。
【００３７】
本実施例の光センサは、発光素子（例えば発光ダイオード）と受光素子（例えばフォトトランジスタ）からなる周知の構成を有している。具体的に、発光素子と受光素子とが向かい合った構造となっており、発光素子は受光素子に向かって常時発光している。発光素子と受光素子との間に遊技球や被検知片等がない場合には、受光素子は、発光素子が照射する光を受光する状態となっている。そして両素子の間に遊技球や被検知片等が入った場合には、発光素子の光が遮光されることにより受光素子の出力が変化し、当該変化した出力を検知して、遊技球や被検知片等の存在を判断することができる。
【００３８】
また、本実施例の光センサとして、発光素子と受光素子とが同方向を向いた構造のもの、具体的には、発光素子からの光を検知物（遊技球や被検知片）に当て、反射してくる光を受光素子で受けて検知物（遊技球や被検知片等）の存在を検知するタイプのセンサを用いることもできる。この場合、発光素子はカム１０９ａで送り出される遊技球や、払出モータ１０９ｍの回転に連動して回転する被検知片が通過する部位に向かって発光し、受光素子は発光素子からの光を遊技球が反射する際の反射光を受光するように構成されている。受光素子は、受光していない場合（遊技球や被検知片が通過していない場合）に非導通状態となり、受光した場合（遊技球や被検知片が通過する場合）に導通状態となる。そして、導通状態と非導通状態との間の受光素子の出力の変化を検知する。つまり、遊技球が払出センサ１０９ｓを通過する際に、遊技球が発光素子からの光を反射し、この反射光を受光素子にて検知することで、払出センサ１０９ｓはカム１０９ａによって送り出された遊技球（払い出された遊技球）を検知することができる。また、被検知片が回転検知センサを通過する際に、被検知片が発光素子からの光を反射し、この反射光を受光素子にて検知することで、回転検知センサは被検知片（モータの回転位置）を検知することができる。
【００３９】
上述のように、中枠３は裏機構盤１０２とともに外枠２に対して開閉可能となっている。図３に示すように、中枠３が裏機構盤１０２とともに外枠２に対して閉鎖されている場合（遊技機１の背面側に回動している場合）には、払出センサ１０９ｓ及び回転検知センサは遊技機１が設置されている島設備３００に対向している（島設備内に収納された状態となっている）。このため、払出センサ１０９ｓ及び回転検知センサは、島設備３００と本体枠２や前面枠４等からなる遊技機１の内部空間に位置し、外部空間から遮断されており、外光から遮断されている。これに対し、図４に示すように、中枠３が裏機構盤１０２とともに外枠２に対して開放されている場合（遊技機１の前方側に回動している場合）には、遊技機裏面側が外部空間に露出し、払出センサ１０９ｓ及び回転検知センサに対して、外光が到達することになる。
【００４０】
そこで、本実施例では、図５、図６に示すように、遊技球払出装置１０９は、外光の透過を制限する払出装置カバー１１０で覆われている。尚、払出装置カバー１１０は、払出装置全体を覆う必要はなく、少なくとも、光センサの設置部位を覆っていればよい。払出装置カバー１１０は、遊技球払出装置１０９の上面と側面を覆うように裏機構盤１０２に配置されている。なお、払出装置カバー１１０が本発明の「遮蔽部材」に相当している。
【００４１】
払出装置カバー１１０は、例えば樹脂材料から構成することができる。また、払出装置カバー１１０は、光透過率が所定値以下となるように構成されている。この「所定値」は、中枠３が裏機構盤１０２とともに外枠２に対して開放された状態で、払出センサ１０９ｓの受光素子が外光を検知しない光透過率として設定する（光透過率３０％以下が望ましい）。これにより、中枠３が裏機構盤１０２とともに外枠２に対して開放され、裏機構盤１０２に外光が当たったとしても、外光が払出装置カバー１１０を透過して遊技球払出装置１０９の払出センサ１０９ｓ及び回転検知センサに到達することを抑制できる。この結果、払出センサ１０９ｓ及び回転検知センサの受光素子が外光を検知して、払出センサ１０９ｓ及び回転検知センサが誤検知することを防止できる。
【００４２】
また、払出装置カバー１１０は、透光性を全く有さない態様でもよく、透光性をある程度有する半透明の態様でもよい。払出装置カバー１１０を半透明とした場合には、払出装置カバー１１０の外から遊技球払出装置１０９を視認することができ、遊技球払出装置１０９に何らかの不具合（球詰り等）が発生した場合に、払出装置カバー１１０を除去することなく遊技球払出装置１０９に発生した不具合の有無や種類を確認できるという利点がある。
【００４３】
また、タンクレール１０６の下方には、前面側に図柄表示装置２５（図８参照）が取り付けられ、背面側に裏ケース１１１が設けられている。裏ケース１１１は、一対のヒンジ１１２により裏機構盤１０２に開閉可能に取り付けられている。裏ケース１１１の内部では、遊技制御に必要となる各種制御基板が収納された基板ケースとして、主制御基板ケース、サブ制御基板ケース、演出表示制御基板ケースが、それぞれ遊技盤２０の裏面に取り付けられている。
【００４４】
裏ケース１１１の下方には、左側に電源基板ケース１１６が設けられ、右側に払出制御基板ケース１１８が設けられている。また、本実施例では、裏機構盤１０２の背面側からみて左側面に、板状の遮光部材１１９を設けている。これにより、中枠３を開放した際の裏機構盤１０２と遊技盤２０との間への外光の入射を制限することができる。さらに裏機構盤１０２の右上方部には、大当り、発射装置制御、球切れ、扉開放、賞球、貸球用等の遊技機枠用外部接続端子を備えた外部端子基板１２２が設けられている。
【００４５】
次に、本実施例の遊技盤２０の表面構造について説明する。図８は、遊技盤２０の正面図である。遊技盤２０は、略長方形の木製の板状体であって中枠３に着脱可能に取り付けられているとともに、裏機構盤（図示略）によりその背面側が覆われている。このため、遊技盤２０は、中枠３とともに外枠２に対して開閉可能となっている。
【００４６】
図８に示すように、遊技盤２０には、遊技盤２０の表面に設けられた外レール２２と内レール２３とにより略円形状の遊技領域２１が形成されている。遊技領域２１内には、中央装置２４、普通図柄作動ゲート２７、始動口２８、２９、大入賞装置（特別電動役物）３３、左入賞口３４、３５、右入賞口３６、３７、第１装飾装置５０、第２装飾装置６０等の遊技装置が配設されている。なお、図示を省略しているが、遊技領域２１には各遊技装置との位置バランスを考慮して多数の障害釘が配設されている。
【００４７】
中央装置２４は遊技領域２１の略中央部に配置され、図柄表示装置２５が設けられている。本実施例では、図柄表示装置２５として液晶表示装置を用いており、図柄表示装置２５の表示領域では、普通図柄と特別図柄の表示（変動表示、停止表示）やその他の演出表示が行われる。
【００４８】
大入賞装置３３は遊技領域２１における中央装置２４の下方に配置されている。第１装飾装置５０は遊技領域２１における大入賞装置３３の左側に配置され、第２装飾装置６０は遊技領域２１における大入賞装置３３の右側に配置されており、装飾装置５０、６０はいわゆるサイド飾りを構成している。また、第１装飾装置５０には左入賞口３４、３５がユニット化されており、第２装飾装置６０には右入賞口３６、３７がユニット化されている。
【００４９】
普通図柄作動ゲート２７は、中央装置２４の左側に設けられている。遊技球が普通図柄作動ゲート２７を通過することで、普通図柄が変動表示を開始する。
【００５０】
始動口２８、２９は、中央装置２４の中央位置の下方に設けられている。本実施例では、２つの始動口２８、２９が上下方向に並んで配置されている。上側に配置された第１始動口２８は常時開口しており、下側に配置された第２始動口２９はいわゆるチューリップ式で左右に一対の翼片部２９ａが開閉するように形成されている。普通図柄が当り図柄の組合せで停止表示された場合には、翼片部２９ａが開いて第２始動口２９が開放される。
【００５１】
第２始動口２９の一対の翼片部２９ａが左右に開いた場合には、第２始動口２９は遊技球の入球可能性が大きくなる開放状態となり、一対の翼片部２９ａが立設された場合には、第２始動口２９は遊技球の入球可能性が小さくなる通常状態となる。遊技球が始動口２８、２９に入球することで、特別図柄が変動表示を開始する図柄変動遊技が行われる。
【００５２】
大入賞装置３３は、始動口２８、２９の下方に配設されている。ここで、大入賞装置３３は、帯状に開口された大入賞口３３ａと、この大入賞口３３ａを開放・閉鎖する開閉板３３ｂとから主に構成されている。大入賞装置３３の左斜め上方には、左入賞口３４、３５が設けられ、大入賞装置３３の右斜め上方には、右入賞口３６、３７が設けられている。
【００５３】
図柄変動遊技の結果として、特別図柄が大当り図柄で停止表示されることで、大入賞装置３３が作動する大当り遊技が開始される。大当り遊技では、大入賞装置３３が作動し、大入賞口３３ａが開放して遊技球受入状態となる。そして、大入賞口３３ａへの遊技球の入球に応じて、所定数の賞球（例えば、１個の入球に対して１５個の賞球）が払い出される。大入賞装置３３の遊技球受入状態は、所定の終了条件成立により終了し、開放していた大入賞口３３ａが閉鎖状態となる。
【００５４】
この遊技球受入状態の開始から終了までを１ラウンドとした場合、大当り遊技は、所定数のラウンドが行われることで終了する。大入賞装置３３では、遊技球受入状態が終了してから所定時間が経過した後に、大入賞口３３ａが開放して再び遊技球受入状態となり、次のラウンドが開始する。このような大入賞口３３ａの開放開始から開放終了までを１ラウンドとする遊技球受入状態は、所定の継続ラウンド数（例えば１５ラウンド）が終了するまで繰り返し継続される。
【００５５】
図９は、各種入球検知スイッチの配置を説明するための遊技盤２０の正面図である。図９では、各種入賞口等の図示を省略している。
【００５６】
図９に示すように、普通図柄作動ゲート２７には、遊技球の通過を検知するための普通図柄作動ゲート検知スイッチ２７ｓが設けられている。第１始動口２８には、遊技球の入球を検知するための第１始動口入球検知スイッチ２８ｓが設けられ、第２始動口２９には、遊技球の入球を検知するための第２始動口入球検知スイッチ２９ｓが設けられている。大入賞装置３３には、大入賞口３３ａへの遊技球の入球を検知するための大入賞口入球検知スイッチ３３ｓが設けられている。各入賞口３４〜３７にも、それぞれへの遊技球の入球を検知するための入賞口入球検知スイッチ３４ｓ〜３７ｓが設けられている。これらのスイッチは、前述した光センサで構成することができる。
【００５７】
普通図柄作動ゲートを通過する遊技球は、当該ゲート通過後に再度遊技領域を流下する構成とされているため、普通図柄作動ゲート検知スイッチ２７ｓは、遊技盤２０の表面側に配置されている。
【００５８】
また、第１始動口２８、第２始動口２９、大入賞口３３ａ、各入賞口３４〜３７に入球した遊技球は、遊技球裏面側に排出されるため、始動口入球検知スイッチ２８ｓ、２９ｓ、大入賞口入球検知スイッチ３３ｓ、入賞口入球検知スイッチ３４ｓ〜３７ｓは、遊技盤２０の裏面側に設けられている。また、遊技盤裏面側には、第１始動口２８、第２始動口２９、大入賞口３３ａ、各入賞口３４〜３７に入球した遊技球が通過する遊技球流下樋が設けられており（遊技球流下樋を通過して遊技機外に排出される）、始動口入球検知スイッチ２８ｓ、２９ｓ、大入賞口入球検知スイッチ３３ｓ、入賞口入球検知スイッチ３４ｓ〜３７ｓ（以下、総じて「入球検知スイッチ」ともいう）は、当該遊技球流下樋に設けられている。
【００５９】
この様に、入球検知スイッチを遊技盤裏面側に設けた遊技球流下樋に配置することで、入球検知スイッチを遊技盤裏面側に位置させることができる。また、入球検知スイッチの奥側（後面側）には、裏機構盤１０２、裏ケース１１、及び制御基板ケース等（以下、総じて「裏機構盤等」ともいう）が位置している。そのため、入球検知スイッチは、遊技盤２０と裏機構盤等とに挟まれて、枠部材（中枠）を開放状態とした場合にも外光が直接照射しにくい構造となっている。もちろん、中枠３が裏機構盤１０２とともに外枠２に対して閉鎖されている状態（枠部材が外枠に対して閉鎖状態）では、入球検知スイッチ（光センサ）を外光から遮断する構成としている。
【００６０】
次に、本実施例の遊技機１の電子制御装置について、図１０に基づいて説明する。図１０は、電子制御装置の概略構成を示すブロック図である。
【００６１】
図１０に示すように、電子制御装置は、主制御部２００と、その主制御部２００に接続された副制御部２３０、２６０、２８０とを含んで構成されている。副制御部は、払出制御部（賞球制御部）２３０、サブ制御部２６０及び演出表示制御部２８０から構成される。主制御部２００は主制御基板２００ａを備え、副制御部２３０、２６０及び２８０は周辺制御基板として払出制御基板２３０ａ、サブ制御基板２６０ａ及び演出表示制御基板２８０ａをそれぞれ備えている。これらの各制御基板や、その他の基板（電源基板、中継基板、駆動基板、装飾基板、アンプ基板、演出ボタン基板など）は、遊技機１の裏面側に配置される。
【００６２】
各制御部２００、２３０、２６０、２８０には、図示しない主電源から電源が供給されている。また、電源立上げ時には、システムリセット信号が各制御部２００、２３０、２６０、２８０に送信される。なお、本実施例の遊技機１は、電源断時に主制御部２００及び払出制御部２３０に作動電圧を供給する図示しないバックアップ電源部（図示略）を備えており、電源断時にも主制御部２００及び払出制御部２３０のＲＡＭデータが保持される。
【００６３】
主制御部２００は、遊技の進行を司る主制御手段を構成するものであり、各副制御部２３０、２６０に処理内容を指示する指令信号（コマンドデータ）を送信し、各副制御部２３０、２６０、２８０は指令信号に基づいて各種制御を行うように構成されている。
【００６４】
主制御部２００を構成する主制御基板２００ａのＣＰＵ２００ｂは、ＣＰＵコア、内蔵ＲＡＭ、内蔵ＲＯＭ等を備えており、ＲＯＭに格納された制御プログラムにより、ＲＡＭをワークエリアとして遊技機１全体の作動制御（遊技の基本進行制御）を司る。また、主制御部２００は、ＣＰＵ２００ｂが主体となって、ＲＯＭに格納された当否判定プログラムにより特別図柄の当否判定を行う当否判定手段を構成している。なお、本実施例の主制御部２００のＣＰＵ２００ｂの制御周期は４ｍｓに設定されている。
【００６５】
主制御部２００には、盤面入力中継基板２０１と盤面出力中継基板２０２とが接続されている。盤面入力中継基板２０１には、普通図柄作動ゲート検知スイッチ２７ｓ、第１始動口入球検知スイッチ２８ｓ、第２始動口入球検知スイッチ２９ｓ、大入賞口入球検知スイッチ３３ｓ、入賞口入球検知スイッチ３４ｓ〜３７ｓが接続されており、これらの信号が主制御部２００に入力するように構成されている。盤面出力中継基板２０２には、第２始動口２９の翼片部２９ａを開閉させるための第２始動口ソレノイド２９ｃ、大入賞装置３３の開閉板３３ｂを開閉させるための大入賞口ソレノイド３３ｃが接続されており、主制御部２００からの制御信号が出力される。
【００６６】
払出制御部２３０を構成する払出制御基板２３０ａは、主制御部２００のＣＰＵ２００ｂと同様の構成を有するＣＰＵ２３０ｂを備えている。払出制御部２３０には、発射制御部２５０、払出モータ１０９ｍ、払出センサ１０９ｓ、ＣＲユニット１３等が接続されている。主制御部２００から払出制御部２３０には、賞球払出を指示する賞球指示コマンド、遊技開始許可を指示する遊技開始許可信号、各種発射制御コマンド等のコマンドが送信される。各種発射制御コマンドには、球送り許可・禁止、発射許可・禁止、遊技開始許可等が含まれている。払出制御基板２３０ａのＣＰＵ２３０ｂは、主制御部２００からの賞球指示コマンドを受信すると、そのコマンドが示す賞球数に基づいて、遊技球払出装置１０９の払出モータ１０９ｍを回転駆動することにより、指定された賞球数分の遊技球の払い出し（賞球払出）を行う。また、払出制御基板２３０ａのＣＰＵ２３０ｂは、払出センサ１０９ｓからのセンサ信号に基づいて、遊技球払出装置１０９で払い出された遊技球数の計数を行う。
【００６７】
サブ制御部２６０は、遊技の進行に伴って実行される各種演出を制御するサブ制御手段を構成しており、サブ制御基板２６０ａには内蔵ＲＯＭや内蔵ＲＡＭを備えるＣＰＵ２６０ｂが設けられており、入出力ポートにおいて主制御部２００に接続されている。サブ制御部２６０は、各種ランプ類による装飾表示制御、スピーカ１０ａ〜１０ｄからの音声出力制御、図柄表示装置２５による図柄表示等を用いた図柄表示制御を司るように構成されている。
【００６８】
演出表示制御部２８０の演出表示制御基板２８０ａには、内蔵ＲＯＭや内蔵ＲＡＭを備えるＣＰＵ２８０ｂ、入出力ポート、ＶＤＰ（ビデオディスプレイプロセッサ）等を有する演算回路構成要素（図示略）が設けられ、入出力ポートにおいてサブ制御部２６０に接続されており、演出表示制御部２８０には図柄表示装置２５が接続されている。
【００６９】
また、サブ制御部２６０には、装飾駆動基板２６１を介して各種ＬＥＤ・ランプ２６２が接続されており、装飾駆動基板２６１によって各種ＬＥＤ・ランプ２６２が駆動される。サブ制御部２６０には、アンプ基板２６３を介してスピーカ１０ａ〜１０ｄが接続されており、アンプ基板２６３で増幅された音声がスピーカ１０ａ〜１０ｄから出力される。
【００７０】
また、サブ制御部２６０には、スピーカ１０ａ〜１０ｄからの出力音量を調整する音量調整スイッチ２６４が接続されている。さらに、サブ制御部２６０には、演出ボタン５ｄが接続されている。サブ制御部２６０は、主制御部２００や演出ボタン５ｄからの各種指令（変動パターン指定コマンドの受信、演出ボタン操作信号の入力など）に基づいて、各種ＬＥＤ・ランプの点灯・点滅パターンの選択・実行処理や、スピーカ１０ａ〜１０ｄから出力される効果音データの選択・出力処理等を行う。
【００７１】
以上説明した本実施例によれば、遊技球払出装置１０９を外光の透過を制限する払出装置カバー１１０（遮蔽部材）で覆うことで、中枠３が裏機構盤１０２とともに外枠２に対して開放された場合に、払出装置カバー１１０を介して払出センサ１０９ｓ及び回転検知センサに到達する外光を制限することができ、払出センサ１０９ｓ及び回転検知センサの受光素子が外光を検知してしまうことを防止できる。これにより、実際には遊技球が払い出されていないにも関わらず、中枠３が裏機構盤１０２とともに外枠２に対して開放されたことによって、光センサから構成される払出センサ１０９ｓが遊技球が払い出されたと誤って検知することを防止できる。この結果、払出制御部２３０が、払出センサ１０９ｓからの誤ったセンサ信号に基づいて、何らかの制御を行うことを防止できる。
【００７２】
（第２実施例）
次に、本発明の第２実施例を説明する。以下、上記第１実施例と同様の部分については説明を省略し、異なる部分についてのみ説明する。
【００７３】
図１１は、本実施例の電子制御装置の概略構成を示すブロック図である。図１１に示すように、本第２実施例では、払出制御部２３０にカバー検知スイッチ１１０ｓが接続され、カバー検知スイッチ１１０ｓのセンサ信号は、払出制御部２３０に入力するように構成されている。なお、払出制御部２３０が本発明の「制御手段」に相当している。
【００７４】
カバー検知スイッチ１１０ｓは、裏機構盤１０２における払出装置カバー１１０が配置される部位に設けられ、裏機構盤１０２に払出装置カバー１１０が設置されているか否か、すなわち払出装置カバー１１０が遊技球払出装置１０９（払出センサ１０９ｓ及び回転検知センサ）を覆う位置にあるか否かを検知する。カバー検知スイッチ１１０ｓとしては、例えば周知の出没式のスイッチを用いることができ、払出装置カバー１１０が裏機構盤１０２に設置されている場合には、払出装置カバー１１０によってカバー検知スイッチ１１０ｓが押圧され、払出装置カバー１１０が裏機構盤１０２から取り除かれた場合には、払出装置カバー１１０によってカバー検知スイッチ１１０ｓが押圧されないようにすればよい。
【００７５】
尚、カバー検知スイッチには、光センサ以外の種類（外光によって誤動作しない種類）のセンサが用いられる。枠部材が開放状態であっても誤動作しないように、近接センサや機械式センサが用いられる。枠部材が開放状態とされた際に、カバー検知スイッチが誤動作していては、払出センサ１０９ｓや回転検知センサを払出装置カバー１１０で被覆している意義を喪失するからである。
【００７６】
そして、払出装置カバー１１０の有無によって、カバー検知スイッチ１１０ｓのセンサ信号の出力状態が切り替わるようにすればよい。具体的には、払出装置カバー１１０が裏機構盤１０２に設置され、遊技球払出装置１０９（払出センサ１０９ｓ又は／及び回転検知センサ）を覆う位置にある状態では、カバー検知スイッチ１１０ｓの出力信号は第１出力状態（ロー出力またはハイ出力）となる。一方、払出装置カバー１１０が裏機構盤１０２から取り除かれ、遊技球払出装置１０９（払出センサ１０９ｓ又は／及び回転検知センサ）を覆う位置にない状態では、カバー検知スイッチ１１０ｓの出力信号は第１出力状態と異なる第２出力状態（ハイ出力またはロー出力）となる。
【００７７】
本実施例の払出制御部２３０は、カバー検知スイッチ１１０ｓからのセンサ信号に基づいて払出センサ１０９ｓから入力するセンサ信号の有効または無効を決定している。具体的には、払出制御部２３０は、カバー検知スイッチ１１０ｓのセンサ信号によって、払出装置カバー１１０が所定の被覆位置（遊技球払出装置１０９（払出センサ１０９ｓ及び回転検知センサ）を覆う位置）にあることが検知されている状態で、払出センサ１０９ｓ（回転検知センサ）からセンサ信号が入力された場合には、当該センサ信号を有効なものとして取扱う。この場合には、払出制御部２３０は、払出センサ１０９ｓのセンサ信号に基づいて、遊技球払出装置１０９で払い出された遊技球を計数することとなる。また、回転検知センサのセンサ信号に基づいて、払出モータ１０９ｍの回転制御を実行する。従って、例えば、遊技球が入球口に入球していないにもかかわらず、又は払出モータ１０９ｍが回転制御されていないにもかかわらず、払出センサ１０９ｓで遊技球を検知した場合には、異常とみなされ、エラー信号が出力される。
【００７８】
一方、払出制御部２３０は、カバー検知スイッチ１１０ｓのセンサ信号によって、払出装置カバー１１０が所定の被覆位置にないことを検知されている状態で、払出センサ１０９ｓ（回転検知センサ）からセンサ信号が入力された場合には、当該センサ信号を無効としている。この場合には、払出制御部２３０は、払出センサ１０９ｓのセンサ信号に基づいて、遊技球払出装置１０９で払い出された遊技球を計数しないこととなる。従って、枠部材を開放状態としてメンテナンス等を行なっている際に、外光が入射して払出センサ１０９ｓが誤検知した場合であっても、当該センサ信号は無効とされ、エラー信号も出力されない（異常とみなされない）。
【００７９】
尚、カバー検知スイッチ１１０ｓから、払出装置カバー１１０が所定位置から外されている旨のセンサ信号が入力された（検知した）場合には、センサ無効フラグを設定（オン）し、再度、払出装置カバー１１０を所定位置に設置して、カバー検知スイッチ１１０ｓから払出装置カバー１１０が所定位置に設置された旨のセンサ信号が入力された（検知した）場合には、センサ無効フラグをクリア（オフ）する。そしてセンサ無効フラグが設定（オン）されている場合には、所定のセンサ信号を無効にすることで、枠部材開放時の検知センサの外光による誤検知を防ぐことができる。
【００８０】
以上説明した本第２実施例によれば、払出装置カバー１１０が遊技球払出装置１０９（払出センサ１０９ｓ及び回転検知センサ）を覆う位置にあるか否かを検知するカバー検知スイッチ１１０ｓを設けるとともに、払出制御部２３０は、カバー検知スイッチ１１０ｓのセンサ信号に基づいて、払出センサ１０９ｓ及び回転検知センサのセンサ信号の有効または無効を判断している。これにより、払出装置カバー１１０が裏機構盤１０２から取り外され、遊技球払出装置１０９（払出センサ１０９ｓ及び回転検知センサ）を覆う位置にない場合に、外光が払出センサ１０９ｓに到達することによって、実際には遊技球が払い出されていないにも関わらず、払出センサ１０９ｓが遊技球が払い出されたと誤検知したとしても、払出制御部２３０が当該誤検知によるセンサ信号を用いて、何らかの制御を行うことを防止できる。
【００８１】
（他の実施形態）
以上、本発明の実施例について説明したが、本発明はこれに限定されるものではなく、各請求項に記載した範囲を逸脱しない限り、各請求項の記載文言に限定されず、当業者がそれらから容易に置き換えられる範囲にも及び、かつ、当業者が通常有する知識に基づく改良を適宜付加することができる。
【００８２】
例えば、上記実施例では、遊技球払出装置１０９の全体を払出装置カバー１１０で覆うように構成したが、これに限らず、光センサからなる払出センサ１０９ｓ及び回転検知センサのみを外光の透過を制限する遮蔽部材で覆うように構成してもよい。あるいは、遊技球払出装置１０９を含む裏機構盤１０２の裏面側全体を外光の透過を制限する遮蔽部材で覆うように構成してもよい。
【００８３】
また、上記実施例では、遊技球払出装置１０９の上面および側面を払出装置カバー１１０で覆うように構成したが、これに限らず、裏機構盤１０２を外枠２から開放した場合に外光が払出センサ１０９ｓに到達する可能性がある部位のみを払出装置カバー１１０で覆うようにしてもよい。例えば、遊技球払出装置１０９の上面が他の装置等によって覆われ、遊技球払出装置１０９の上面から外光が入射しない構成であれば、遊技球払出装置１０９の側面のみを払出装置カバー１１０で覆うようにすればよい。同様に、遊技球払出装置１０９の側面が他の装置等によって覆われ、遊技球払出装置１０９の側面から外光が入射しない構成であれば、遊技球払出装置１０９の上面のみを払出装置カバー１１０で覆うようにすればよい。
【００８４】
また、上記実施例では、本発明を裏機構盤１０２に配置された遊技球払出装置１０９に適用した例について説明したが、これに限らず、本発明は裏機構盤１０２に配置された装置以外にも適用することができる。例えば、遊技盤２０の裏面側に配置される第１始動口入球検知スイッチ２８ｓ、第２始動口入球検知スイッチ２９ｓ、大入賞口入球検知スイッチ３３ｓ、入賞口入球検知３４ｓ〜３７ｓが光センサから構成される場合には、これらの入球検知スイッチ（光センサ）を光透過率が低い遮蔽部材で覆うようにしてもよい。
【００８５】
遊技盤２０の裏面側は、裏機構盤１０２が対向しており、入球検知スイッチ（光センサ）は、遊技盤２０が中枠３とともに外枠２に対して閉鎖している場合には、島設備３００と本体枠２や前面枠４からなる内部空間に位置し、外部空間から遮断されており、外光が到達せず遮光されている。また、中枠３のみを外枠２から開放状態とした場合（裏機構盤１０２は中枠３に対して閉鎖状態）には、上述したとおり、入球検知スイッチは裏機構盤等と遊技盤とに挟まれた状態で、外光が到達しにくい構造とされているものの、遊技盤２０と裏機構盤等との隙間から外光が入射する可能性がある。そこで、遊技盤２０の裏面側を全体的に被覆するように、入球検知スイッチを遮光する遮光部材１１９を設けることで、遊技盤２０と裏機構盤等との隙間を遮光することができる。
【００８６】
具体的に、図４に示す通り、本実施例の構造においては、遊技盤２０と裏機構盤１０２との間に隙間があり、この隙間から外光が入射する可能性があるので、この部分に板状の遮光部材１１９を配置することで、中枠３を開放した際の外光の入射を制限することができる。
【００８７】
尚、遮光部材１１９は本発明の遮蔽部材に相当する。また、入球検知スイッチに対して、側面からの外光の入射を制限するのは遮光部材１１９であり、後面からの外光の入射は裏機構板等によって制限されているので、裏機構盤等（裏機構盤１０２、裏ケース１１１、及び制御基板ケース等）も本発明の遮蔽部材に相当する。また裏ケース１１１や制御基板ケースを着色樹脂で構成することで遮蔽部材とすることもできるが、制御基板に対する不正防止の観点から、外光からの入射を制限できる範囲でできるだけ光透過率を高くする（透明度を高くする）ことが望ましい。
【００８８】
これに対し、遊技盤２０を中枠３とともに外枠２に対して開放し、さらに中枠３に対して裏機構盤１０２を開放することで、遊技盤２０の裏面側に配置された入球検知スイッチ（光センサ）が外部空間に露出するため、外光が到達することになる。このため、遊技盤２０の裏面側に配置されている入球検知スイッチ（光センサ）を外光の透過を制限する遮蔽部材で、直接的に、覆うことで、上記実施例と同様の効果を得ることができる。具体的には、遊技球流下樋の入球検知スイッチが配置されている箇所を、遊技球流下樋とは別部材の遮蔽部材で覆うことができる。また、遊技球流下樋の略全体を遮蔽部材で覆ってもよい。
【００８９】
また、遊技盤裏面側には、光センサとして、入球検知スイッチだけでなく、図柄変動と共に演出に用いられる可動物の位置を検知して制御するための、可動物位置検知センサが設けられている（図示省略）。従って、入球検知スイッチと併せて可動物位置検知センサも上述の遮蔽部材で被覆するものとする。
【００９０】
また、中枠３の下板部に設けられた発射球検知スイッチ９ｂ（図２参照）が光センサから構成されている場合には、発射球検知スイッチ９ｂを光透過率が低い遮蔽部材で覆うようにしてもよい。この場合は、上皿部５が本発明の「枠部材」に相当する。
【００９１】
発射球検知スイッチ９ｂは、下皿部５が中枠３に対して閉鎖している場合には、下皿部５によって遮蔽され、外光が到達せず遮光されている。これに対し、下皿部５が中枠３に対して開放している場合には、発射球検知スイッチ９ｂが外部空間に露出するため、外光が到達することとなる。このため、中枠３の下板部に配置されている発射球検知スイッチ９ｂを外光の透過を制限する遮蔽部材で覆うことで、上記実施例と同様の効果を得ることができる。
【００９２】
尚、言うまでもないが、カバー検知スイッチ１１０ｓと同様の機能を有するスイッチを上述した全ての遮蔽部材（遮光部材、裏機構盤等、発射球検知スイッチ９ｂの遮蔽部材）に対して設けることができる。例えば、遮光部材が所定位置に固定されている場合には、入球検知スイッチから出力されるセンサ信号は有効として処理されるが、所定位置に固定されていない（遮光部材が外された）ことが検知された場合には、例え入球検知スイッチからセンサ信号が出力されたと場合であっても、当該センサ信号は無効とされる。また、遮蔽部材が所定位置にないことが検知された場合には、センサ信号を無効にすることにかえて、又はセンサ信号を無効にすることに加えて、エラー信号（異常信号）を出力するものとしてもよい。エラー信号を検知した場合には所定の表示装置において、エラー表示（エラー報知）が実行される。
【符号の説明】
【００９３】
１…遊技機、２…外枠、３…中枠、４…前面枠、５…上皿部、６…下皿部、１０９…払出装置、１０９ｓ…払出センサ、１１０…払出装置カバー（遮蔽部材）、１１９…遮光部材（遮蔽部材）、２００…主制御部、２３０…払出制御部（制御手段）、３００…島設備。
【図１】
2013005868.tif 000003
【図２】
2013005868.tif 000004
【図３】
2013005868.tif 000005
【図４】
2013005868.tif 000006
【図５】
2013005868.tif 000007
【図６】
2013005868.tif 000008
【図７】
2013005868.tif 000009
【図８】
2013005868.tif 000010
【図９】
2013005868.tif 000011
【図１０】
2013005868.tif 000012
【図１１】
2013005868.tif 000013
【手続補正書】
【提出日】平成23年12月12日(2011.12.12)
【手続補正１】
【補正対象書類名】特許請求の範囲
【補正対象項目名】全文
【補正方法】変更
【補正の内容】
【特許請求の範囲】
【請求項１】
島設備に設置される外枠と、
前記外枠に対して開放状態と閉鎖状態とに移動可能な枠部材と、
発光素子と受光素子とを有し、前記島設備に設置されて前記枠部材が前記閉鎖状態となっている場合に外光から遮断される部位に配置された光センサと、
少なくとも前記光センサを覆うように設けられ、前記枠部材を前記開放状態とした場合にも、前記受光素子に外光が透過することを制限する遮蔽部材と、
前記遮蔽部材が前記光センサを覆う位置にあるか否かを検知する遮蔽部材検知センサと、
前記光センサからのセンサ信号と、前記遮蔽部材検知センサからのセンサ信号とが入力される制御手段と、を備え、
前記制御手段は、前記遮蔽部材検知センサからのセンサ信号に基づいて前記遮蔽部材が前記光センサを覆う位置にないと判定した場合には、前記光センサからのセンサ信号を無効なものとするものであって、
前記遮蔽部材検知センサは、前記遮蔽部材が前記光センサを覆う位置にある場合に押圧され、前記遮蔽部材が前記光センサを覆う位置にない場合に押圧が解除される出没式のスイッチで構成されることを特徴とする遊技機。
【請求項２】
複数の前記光センサと、
複数の前記光センサに対応して設けられる複数の前記遮蔽部材と、
複数の前記遮蔽部材に対応して設けられる複数の前記遮蔽部材検知センサと、を備え、
前記制御手段は、複数の前記遮蔽部材検知センサのうち何れかのセンサ信号に基づいて、前記遮蔽部材が前記光センサを覆う位置にないと判定した場合には、当該遮蔽部材が覆う前記光センサからのセンサ信号を無効なものとすることを特徴とする請求項１に記載の遊技機。
【手続補正２】
【補正対象書類名】明細書
【補正対象項目名】００１２
【補正方法】変更
【補正の内容】
【００１２】
また、本発明の遊技機は、
前記遮蔽部材が前記光センサを覆う位置にあるか否かを検知する遮蔽部材検知センサと、
前記光センサからのセンサ信号と、前記遮蔽部材検知センサからのセンサ信号とが入力する制御手段と、を備え、
前記制御手段は、前記遮蔽部材検知センサからのセンサ信号に基づいて前記遮蔽部材が前記光センサを覆う位置にないと判定した場合には、前記光センサからのセンサ信号を無効なものとするものであって、
前記遮蔽部材検知センサは、前記遮蔽部材が前記光センサを覆う位置にある場合に押圧され、前記遮蔽部材が前記光センサを覆う位置にない場合に押圧が解除される出没式のスイッチで構成されることを特徴としている。
【手続補正３】
【補正対象書類名】明細書
【補正対象項目名】００１３
【補正方法】変更
【補正の内容】
【００１３】
枠部材を開放した状態で、異常（球詰り、コネクタ外れ等）を解消できる場合は遮蔽部材により誤検知を防止できるが、枠部材を開放しただけでは、異常を解消できない場合には、当該遮蔽部材を取り外す必要がある。例えば、遮蔽部材を外さないと（位置を変えないと）、エラー解除できない様な異常（例えば、球詰りの位置、ケーブルの断線、部品の損傷等）が発生する場合もありうる。この様な場合にも、遮蔽部材が光センサを覆う所定の被覆位置にあるか否かを検知することで、所定の被覆位置にない場合には、外光が光センサに到達し、光センサが誤検知したとしても、制御手段が光センサのセンサ信号を無効化し、誤検知による遊技機の誤動作を防止することができる。